(57)【要約】【課題】予め記録したコンテンツを視聴する際、ユーザが指定した視聴可能時間内に視聴が完了する記録コンテンツの選択肢を増加させることが可能な記録再生装置を提供する。【解決手段】記録再生装置１は、複数の番組を録画する記録部４と、記録部４に録画した番組の再生方法が異なる複数の再生モードで再生することが可能な再生処理部９と、ユーザによる録画番組の再生に係る操作とユーザの視聴可能時間の入力とを受け付ける操作部６と、複数の録画番組に対して複数の再生モード毎の所要視聴時間を導出するとともに視聴可能時間内に視聴可能な所要視聴時間の録画番組を選出して出力する制御部７と、を備える。【選択図】図１
2015019216.tif 000002
【特許請求の範囲】
【請求項１】
複数のコンテンツを記録する記録部と、
前記記録部に記録した前記コンテンツの再生方法が異なる複数の再生モードで再生することが可能な再生処理部と、
ユーザによる前記コンテンツの再生に係る操作とユーザの視聴可能時間の入力とを受け付ける操作部と、
前記複数のコンテンツに対して前記複数の再生モード毎の所要視聴時間を導出するとともに前記視聴可能時間内に視聴可能な前記所要視聴時間の前記コンテンツを選出して出力する制御部と、
を備えることを特徴とする記録再生装置。
【請求項２】
前記コンテンツの再生速度が通常の再生速度と異なる前記再生モードを備えることを特徴とする請求項１に記載の記録再生装置。
【請求項３】
前記コンテンツの不必要部分を削除して再生する前記再生モードを備えることを特徴とする請求項１または請求項２に記載の記録再生装置。
【請求項４】
従前の前記コンテンツの視聴に係るユーザの再生操作を記憶する記憶部を備え、
前記記憶部に記憶したユーザの前記従前の再生操作に基づき導出した予想視聴時間を前記所要視聴時間とする前記再生モードを備えることを特徴とする請求項１〜請求項３のいずれか１項に記載の記録再生装置。
【請求項５】
前記予想視聴時間が同じ長さの前記コンテンツであっても前記コンテンツの種類によって異なることを特徴とする請求項４に記載の記録再生装置。
【請求項６】
前記予想視聴時間が同じ長さの前記コンテンツであっても前記コンテンツの提供時間帯によって異なることを特徴とする請求項４または請求項５に記載の記録再生装置。
【請求項７】
前記予想視聴時間が同じ長さの前記コンテンツであっても前記コンテンツの視聴時間帯によって異なることを特徴とする請求項４〜請求項６のいずれか１項に記載の記録再生装置。
【請求項８】
前記予想視聴時間が同じ前記コンテンツであってもユーザ毎に異なることを特徴とする請求項４〜請求項７のいずれか１項に記載の記録再生装置。
【発明の詳細な説明】
【技術分野】
【０００１】
本発明は記録再生装置に関する。
【背景技術】
【０００２】
従来の記録再生装置は、放送局やインターネットなどから提供されるコンテンツの記録と、再生とが可能である。例えば、ユーザは記録再生装置にコンテンツの記録の予約設定などをしておき、後刻好きな時間に記録したコンテンツ（以下、記録コンテンツと称することがある）を再生して視聴することができる。このような従来の記録再生装置が例えば特許文献１に開示されている。
【０００３】
特許文献１に記載された従来の記録再生装置は記録コンテンツのリストを表示することができる。さらに、この従来の記録再生装置はユーザがダイアログボックス等から入力したコンテンツの視聴可能時間に基づき、複数の記録コンテンツのうちその時間内に視聴が完了するコンテンツを表示することが可能である。これにより、ユーザは限られた時間内に視聴可能な記録コンテンツを容易に選択することができる。
【先行技術文献】
【特許文献】
【０００４】
【特許文献１】特開２００８−２５２８１７号公報
【発明の概要】
【発明が解決しようとする課題】
【０００５】
しかしながら、上記従来の記録再生装置は一般的な通常の速度（所謂１倍速）の再生モードに基づく視聴可能な記録コンテンツしか提示していない。これにより、ユーザが指定した視聴可能時間内に視聴が完了する記録コンテンツが、通常の速度のみを用いてコンテンツを再生することに基づいて選出される。したがって、ユーザが視聴可能な記録コンテンツの選択肢が低減し、視聴可能な記録コンテンツが存在しないような場合も起こり得る虞がある。
【０００６】
本発明は、上記の点に鑑みなされたものであり、予め記録したコンテンツを視聴するにあたって、ユーザが指定した視聴可能時間内に視聴が完了する記録コンテンツの選択肢を増加させることが可能な記録再生装置を提供することを目的とする。
【課題を解決するための手段】
【０００７】
上記の課題を解決するため、本発明の記録再生装置は、複数のコンテンツを記録する記録部と、前記記録部に記録した前記コンテンツの再生方法が異なる複数の再生モードで再生することが可能な再生処理部と、ユーザによる前記コンテンツの再生に係る操作とユーザの視聴可能時間の入力とを受け付ける操作部と、前記複数のコンテンツに対して前記複数の再生モード毎の所要視聴時間を導出するとともに前記視聴可能時間内に視聴可能な前記所要視聴時間の前記コンテンツを選出して出力する制御部と、を備えることを特徴としている。
【０００８】
この構成によれば、記録再生装置は再生方法が異なる複数の再生モードで記録コンテンツを再生することができ、それら再生モード毎にユーザが指定した視聴可能時間内に視聴が完了する記録コンテンツを選出して出力する。したがって、ユーザが視聴可能な記録コンテンツの選択肢が増加する。
【０００９】
また、上記構成の記録再生装置において、前記コンテンツの再生速度が通常の再生速度と異なる前記再生モードを備えることを特徴としている。
【００１０】
この構成によれば、記録再生装置は、例えば所謂１倍速である通常の再生速度に対して１．２倍速などといった再生速度の再生モードを備える。したがって、記録再生装置は記録コンテンツの再生速度を変えることで、記録コンテンツの所要視聴時間を短縮する。
【００１１】
また、上記構成の記録再生装置において、前記コンテンツの不必要部分を削除して再生する前記再生モードを備えることを特徴としている。
【００１２】
この構成によれば、記録再生装置は、例えば記録コンテンツの不必要部分であるＣＭ（commercial message）時間帯を削除する再生モードを備える。したがって、記録再生装置は記録コンテンツの不必要部分を削除することで、記録コンテンツの所要視聴時間を短縮する。
【００１３】
また、上記構成の記録再生装置において、従前の前記コンテンツの視聴に係るユーザの再生操作を記憶する記憶部を備え、前記記憶部に記憶したユーザの前記従前の再生操作に基づき導出した予想視聴時間を前記所要視聴時間とする前記再生モードを備えることを特徴としている。
【００１４】
この構成によれば、記録再生装置はユーザによる従前の記録コンテンツの視聴において、例えばユーザが行った再生、早送り、巻き戻し、一時停止などといった再生操作を記憶部に記憶する。したがって、記録再生装置はそのようなユーザの再生操作に基づき予想視聴時間を導出することで、記録コンテンツの所要視聴時間を短縮する。
【００１５】
また、上記構成の記録再生装置において、前記予想視聴時間が同じ長さの前記コンテンツであっても前記コンテンツの種類によって異なることを特徴としている。
【００１６】
この構成によれば、記録再生装置は、例えばオープニングのテーマ曲や前回までのあらすじの部分を見ず早送りするなどといった記録コンテンツの種類を考慮した再生操作に基づき予想視聴時間を導出する。したがって、記録再生装置は予め記憶したそのようなユーザの記録コンテンツの種類を考慮した再生操作に基づき予想視聴時間を導出し、記録コンテンツの所要視聴時間を短縮する。
【００１７】
また、上記構成の記録再生装置において、前記予想視聴時間が同じ長さの前記コンテンツであっても前記コンテンツの提供時間帯によって異なることを特徴としている。
【００１８】
コンテンツの提供時間帯に基づいて、例えばコンテンツの種類が類推できることがある。したがって、記録再生装置は予め記憶したユーザの記録コンテンツの種類を考慮した再生操作に基づき予想視聴時間を導出し、記録コンテンツの所要視聴時間を短縮する。
【００１９】
また、上記構成の記録再生装置において、前記予想視聴時間が同じ長さの前記コンテンツであっても前記コンテンツの視聴時間帯によって異なることを特徴としている。
【００２０】
例えば午前中は比較的忙しく視聴時間が短めであったり、夜はゆっくり過ごせ視聴時間が長めであったりするなどのように、ユーザの記録コンテンツの視聴時間帯に基づき視聴時間、すなわち再生操作が異なることがある。したがって、記録再生装置はそのような再生操作を記憶部に予め記憶し、記憶したユーザの記録コンテンツの視聴時間帯を考慮した再生操作に基づき予想視聴時間を導出する。そして、記録再生装置は記録コンテンツの所要視聴時間を短縮する。
【００２１】
また、上記構成の記録再生装置において、前記予想視聴時間が同じ前記コンテンツであってもユーザ毎に異なることを特徴としている。
【００２２】
例えば同じ記録コンテンツであっても、ユーザ自身の個性により視聴時間、すなわち再生操作が異なることがある。したがって、記録再生装置はそのような再生操作を記憶部に予め記憶し、記憶したユーザ毎の再生操作に基づき予想視聴時間を導出する。そして、記録コンテンツの所要視聴時間を短縮する。
【発明の効果】
【００２３】
本発明の構成によれば、予め記録したコンテンツを視聴するにあたって、ユーザが指定した視聴可能時間内に視聴が完了する記録コンテンツの選択肢を増加させることが可能な記録再生装置を提供することができる。
【図面の簡単な説明】
【００２４】
【図１】本発明の第１実施形態の記録再生装置のブロック図である。
【図２】本発明の第１実施形態の記録再生装置が提供する再生モードの選択に係る表示例を示す説明図である。
【図３】本発明の第１実施形態の記録再生装置の再生モードのうちのユーザモードの再生操作の説明図である。
【図４】本発明の第１実施形態の記録再生装置の再生モードのうちのユーザモードの再生操作に係る時刻導出処理を示すフローチャートである。
【図５】本発明の第１実施形態の記録再生装置の再生モードのうちのユーザモードの予想視聴時間導出処理を示すフローチャートである。
【発明を実施するための形態】
【００２５】
以下、本発明の実施形態を図１〜図５に基づき説明する。なお説明では、コンテンツとして、テレビジョン放送局から提供されるテレビ番組を例として掲げ、テレビ番組を単に「番組」と称することがある。そして、記録部による「記録」を「録画」と称し、記録部が記録する「記録コンテンツ」を「録画番組」と称する。
【００２６】
＜第１実施形態＞
最初に、本発明の第１実施形態の記録再生装置について、図１及び図２を用いてその構成を説明する。図１は記録再生装置のブロック図、図２は記録再生装置が提供する再生モードの選択に係る表示例を示す説明図である。
【００２７】
記録再生装置１は、図１に示すようにチューナ部２、データ処理部３、記録部４、出力部５、操作部６、制御部７、記憶部８及び再生処理部９を備える。記録再生装置１は不図示のアンテナやモニタ１０１（図２参照）、或いはテレビジョン受信機に電気的に接続され、テレビジョン放送の録画や再生のために利用される。
【００２８】
チューナ部２はテレビジョン放送局から提供される放送信号の受信に利用される。チューナ部２は不図示のアンテナから受信した放送信号の選局及び復調を行う。
【００２９】
データ処理部３はチューナ部２から受け取った放送信号を記録部４または出力部５に送信する。また、データ処理部３は再生処理がなされた記録部４の録画番組に係る映像音声信号を出力部５に送信する。
【００３０】
記録部４はチューナ部２及びデータ処理部３を介して放送信号として取得したテレビ番組を録画する。記録部４は複数のテレビ番組を録画することができる。記録部４はＨＤＤ（Hard disk drive）や光ディスク装置などからなり、記録再生装置１に内蔵されているもののほか、外付けされていても良い。
【００３１】
出力部５はデータ処理部３から受け取った映像音声信号や、メニュー画面、番組表等の画面データを外部に出力する。出力部５の出力信号は記録再生装置１に電気的に接続される例えばモニタ１０１（図２参照）に送出される。モニタ１０１は出力部５の出力信号に基づく映像及び画面データを画面１０２に出力し、音声を不図示のスピーカから出力する。
【００３２】
操作部６は記録再生装置１の筐体表面や不図示のリモコンに設けられた複数の各種操作キーを備える。例えば、操作部６はユーザによる録画番組の再生に係る操作や、後述するユーザの視聴可能時間の入力を受け付ける。
【００３３】
制御部７は不図示の演算部やその他の電子部品で構成され、記憶部８等に予め記憶、入力されたプログラム、データに基づき、記録再生装置１の各構成要素から情報を得るとともにそれら構成要素の動作を制御して一連の放送信号の受信処理、録画再生処理及び出力処理を実現する。制御部７は再生処理部９を備える。なおここでは、制御部７が再生処理部９を備える構成としているが、制御部７とは別にして再生処理部９を備える構成であっても良い。再生処理部９が記録部４に併設或いは包含されていても良い。
【００３４】
再生処理部９は記録部４の録画番組の再生に係る処理を行う。再生処理部９は録画番組の再生方法が異なる複数の再生モードで再生することが可能である。
【００３５】
記録再生装置１は操作部６からユーザの録画番組の視聴に係る操作を受け付けたとき、出力部５を介して図２に示す再生モード選択データ２１を出力する。モニタ１０１の画面１０２には視聴可能な録画番組が再生モード毎に並べて表示される。また、画面１０２にはユーザの視聴可能時間としての視聴終了時刻の入力が可能なダイアログボックス２２も表示される。ユーザは操作部６を用いて再生モードの選択や視聴終了時刻の入力が可能である。
【００３６】
再生処理部９が処理することが可能な再生モードは、通常モード、１．２倍速モード、おすすめモード及びユーザモードの４種類が存在し、ユーザが任意に選択することができる。再生モード毎の視聴可能録画番組のデータとしては、制御部７が記録部４の複数の録画番組に対して４種類の再生モード毎の所要視聴時間を導出するとともに、ユーザが入力した視聴終了時刻までに視聴可能な所要視聴時間の録画番組を選出して出力する。図２に示すように、画面１０２には録画番組毎に視聴の終了予定時刻が表示され、ユーザが入力した視聴終了時刻までに視聴可能な所要視聴時間の録画番組が表示される。
【００３７】
通常モードでは所謂１倍速で録画番組を再生する。制御部７は１倍速という再生処理に基づき録画番組の所要視聴時間を導出する。
【００３８】
１．２倍速モードでは通常の速度と異なる１．２倍の速度で録画番組を再生する。このとき、再生処理部９は話速変換処理を行い、映像及び音声の内容が理解できるよう補正する。制御部７は１．２倍速という再生処理に基づき録画番組の所要視聴時間を導出する。
【００３９】
おすすめモードでは、例えば録画番組の不必要部分であるＣＭ時間帯を削除し、録画番組の前半を１．２倍速モードで再生し、録画番組の後半を通常モードで再生する。このようなおすすめモードの再生方法は予めプログラムされ、記憶部８等に記憶される。制御部７はおすすめモードによる再生処理に基づき録画番組の所要視聴時間を導出する。
【００４０】
ユーザモードでは、記憶部８等が従前の録画番組の視聴に係るユーザの再生操作を記憶し、記憶部８等に記憶したユーザの従前の再生操作に基づき導出した予想視聴時間を所要視聴時間とする。
【００４１】
なお、これらの再生モードは一例であって、他の方法による再生モードや４種類以上の再生モードが選択可能であることとしても良い。
【００４２】
続いて、ユーザモードで用いられる予想視聴時間の導出処理について、図３に基づき図４及び図５に示すフローに沿って説明する。図３は記録再生装置１の再生モードのうちのユーザモードの再生操作の説明図、図４はユーザモードの再生操作に係る時刻導出処理を示すフローチャート、図５はユーザモードの予想視聴時間導出処理を示すフローチャートである。
【００４３】
図３は従前の録画番組の視聴に係るユーザの再生操作を操作時刻とともに記載している。図３には、手順Ａ（時刻０：００）の再生開始から、手順Ｆ（時刻１０：００）の再生終了までの再生操作が記載されている。
【００４４】
図３によれば、最初の手順Ａでは再生が時刻０：００から０：１０まで行われている。次の手順Ｂでは早送りが時刻０：１０から５：３０まで行われている。次の手順Ｃでは再生が時刻５：３０から５：４０まで行われている。次の手順Ｄでは巻き戻しが時刻５：４０から５：２０まで行われている。次の手順Ｅでは再生が時刻５：２０から１０：００まで行われている。この操作手順は表１のように表され、記憶部８等に記憶される。
【００４５】
【表１】
2015019216.tif 000003
【００４６】
次に、表１のように記憶されたデータを用いて、図４に示すフローに基づき、手順Ａ、Ｃ、Ｅの各再生操作に係る開始時刻と終了時刻とを導出する。
【００４７】
再生操作に係る時刻導出処理を開始すると（図４のスタート）、制御部７は記憶部８等から表１の操作データリストを取得する（ステップ＃１０１）。次に、制御部７は表１の手順Ａから順に全操作データのチェックが完了したか否かを判別する（ステップ＃１０２）。なお、操作データのチェックは、表１の手順Ａから順に手順Ｅまで、表１の例では５回チェックが行われる。
【００４８】
全操作データのチェックが完了していない場合（ステップ＃１０２のＮｏ）、制御部７は今回チェックしているデータの操作が再生であるか否かを判別する（ステップ＃１０３）。今回チェック操作が再生である場合（ステップ＃１０３のＹｅｓ）、制御部７は再生開始時刻を記憶部８等に記憶させる（ステップ＃１０４）。
【００４９】
ステップ＃１０３において、今回チェック操作が再生ではない場合（ステップ＃１０３のＮｏ）、制御部７は前回チェック操作が再生であるか否かを判別する（ステップ＃１０５）。前回チェック操作が再生である場合（ステップ＃１０５のＹｅｓ）、制御部７は今回チェック操作の開始時刻、すなわち前回チェック操作である再生の終了時刻を記憶部８等に記憶させ、再生操作回数を一つ加算する（ステップ＃１０６）。
【００５０】
ステップ＃１０４の後、ステップ＃１０６の後、或いはステップ＃１０５で前回チェック操作が再生ではない場合、ステップ＃１０２に戻る。
【００５１】
ステップ＃１０２において、全操作データのチェックが完了した場合（ステップ＃１０２のＹｅｓ）、制御部７は直前にチェックした操作が再生であるか否かを判別する（ステップ＃１０７）。直前チェック操作が再生である場合（ステップ＃１０７のＹｅｓ）、制御部７は直前にチェックした再生の終了時刻（図３の手順Ｆの時刻）をその再生の終了時刻として記憶部８等に記憶させる（ステップ＃１０８）。
【００５２】
ステップ＃１０２において、直前チェック操作が再生ではない場合（ステップ＃１０７のＮｏ）、或いはステップ＃１０８の後、制御部７は各再生操作の開始時刻と終了時刻とから各再生操作の視聴時間を導出する（ステップ＃１０９）。そして、ユーザモードの再生操作に係る時刻導出処理を終了する（図４のエンド）。
【００５３】
このようにして、表２に示すように、表１の手順Ａ、Ｃ、Ｅの各再生操作に係る開始時刻、終了時刻及び視聴時間が導出される。表１の手順Ａは表２の再生操作１に対応し、表１の手順Ｃは表２の再生操作２に対応し、表１の手順Ｅは表２の再生操作３に対応する。
【００５４】
【表２】
2015019216.tif 000004
【００５５】
次に、表２のように記憶された３回の再生操作に係るデータを用いて、図５に示すフローに基づき、ユーザモードにおける予想視聴時間を導出する。
【００５６】
予想視聴時間の導出処理を開始すると（図５のスタート）、制御部７は記憶部８等から表２の再生操作リストを取得する（ステップ＃２０１）。次に、制御部７は取得した再生操作リストを開始時刻順に並び替える（ステップ＃２０２）。すなわち、表２によれば、開始時刻が再生操作２より再生操作３の方が早いので、再生操作３が再生操作２に対して繰り上がる（表３参照）。
【００５７】
次に、制御部７は表３の再生操作１から順に全再生操作のチェックが完了したか否かを判別する（ステップ＃２０３）。なお、再生操作のチェックは、表３の再生操作１、再生操作３、再生操作２の順に、表３の例では３回チェックが行われる。
【００５８】
全再生操作のチェックが完了していない場合（ステップ＃２０３のＮｏ）、制御部７は今回チェックしている再生操作の開始時刻が前回チェックした再生操作の終了時刻以後であるか否かを判別する（ステップ＃２０４）。今回チェック再生操作の開始時刻が前回チェック再生操作の終了時刻以後である場合（ステップ＃２０４のＹｅｓ）、制御部７は前回チェックした再生操作に係る視聴時間を予想視聴時間としてリストに追加する（ステップ＃２０５）。そして、制御部７は次回のチェック処理のために、今回チェックした再生操作を前回チェックした再生操作とする処理を行う（ステップ＃２０６）。
【００５９】
ステップ＃２０４において、今回チェック再生操作の開始時刻が前回チェック再生操作の終了時刻より前である場合（ステップ＃２０４のＮｏ）、制御部７は今回チェックしている再生操作の終了時刻が前回チェックした再生操作の終了時刻以前であるか否かを判別する（ステップ＃２０７）。今回チェック再生操作の終了時刻が前回チェック再生操作の終了時刻以前である場合（ステップ＃２０７のＹｅｓ）、制御部７は今回チェックしている再生操作に係るデータを破棄する（ステップ＃２０８）。図３によれば、再生操作２の時間帯が再生操作３の時間帯に重複するので、表３の例では再生操作２が破棄される。
【００６０】
ステップ＃２０７において、今回チェック再生操作の終了時刻が前回チェック再生操作の終了時刻より後である場合（ステップ＃２０７のＮｏ）、制御部７は前回チェックした再生操作の終了時刻として、今回チェックした再生操作の終了時刻を置き換える（ステップ＃２０９）。
【００６１】
ステップ＃２０６の後、ステップ＃２０８の後、或いはステップ＃２０９の後、ステップ＃２０３に戻る。
【００６２】
ステップ＃２０３において、全再生操作のチェックが完了した場合（ステップ＃２０３のＹｅｓ）、制御部７は最終にチェックした再生操作に係る視聴時間を予想視聴時間としてリストに追加する（ステップ＃２１０）。次に、制御部７は各再生操作の予想視聴時間を合算する（ステップ＃２１１）。そして、ユーザモードにおける予想視聴時間の導出処理を終了する（図５のエンド）。
【００６３】
このようにして、表３に示すように、表２の再生操作１〜３に関して時間帯が重複する再生操作２が削除され、最終的に４：５０という予想視聴時間が導出される。
【００６４】
【表３】
2015019216.tif 000005
【００６５】
上記のとおり導出されたユーザモードで用いられる予想視聴時間は同じ長さの録画番組であっても、例えば録画番組の種類や提供時間帯によって異なる。このことについて、表４に示すテレビ番組表を用いて説明する。表４は、例えば放送局Ａ●●、Ｂ◇◇及びＣ■■なる３社の１１月及び１２月の１９：００から２１：００までの３０分毎のテレビ番組表を示している。
【００６６】
【表４】
2015019216.tif 000006
【００６７】
例えば１１月において、放送局Ｂ◇◇の２０：００の時間帯に提供された番組Ｂ１０３を記録再生装置１で録画し、その録画番組を視聴したと仮定する。このとき、記録再生装置１はその録画番組の視聴に係るユーザの再生操作を記憶し、さらにユーザの再生操作に基づき予想視聴時間を導出して記憶部８等に記憶しておく。
【００６８】
次に１２月において、放送局Ｂ◇◇の新たな番組Ｂ１２３を記録再生装置１で録画し、その録画番組の所要視聴時間を導出するとき、記録再生装置１は１１月に同じ時間帯で同じ放送局Ｂ◇◇から提供された番組Ｂ１０３が同じ種類の番組であるものとする。そして、記録再生装置１は番組Ｂ１０３に関して導出した予想視聴時間を新たに録画した番組Ｂ１２３の所要視聴時間とする。例えば、番組Ｂ１０３及び番組Ｂ１２３の番組種類がドラマである場合、オープニングのテーマ曲や前回までのあらすじの部分を見ず早送りするなどといった再生操作に基づき予想視聴時間が導出され、所要視聴時間と見なされる。
【００６９】
上記のように、本発明の第１実施形態の記録再生装置１は、複数の番組を録画する記録部４と、記録部４に録画した番組の再生方法が異なる複数の再生モードで再生することが可能な再生処理部９と、ユーザによる録画番組の再生に係る操作とユーザの視聴可能時間の入力とを受け付ける操作部６と、複数の録画番組に対して複数の再生モード毎の所要視聴時間を導出するとともに視聴可能時間内に視聴可能な所要視聴時間の録画番組を選出して出力する制御部７と、を備える。これにより、記録再生装置１は再生方法が異なる複数の再生モードで録画番組を再生することができ、それら再生モード毎にユーザが指定した視聴可能時間内に視聴が完了する録画番組を選出して出力することができる。したがって、ユーザが視聴可能な録画番組の選択肢を増加させることが可能である。
【００７０】
また、記録再生装置１は録画番組の再生速度が通常の再生速度と異なる再生モードを備える。例えば、記録再生装置１は所謂１倍速である通常の再生速度に対して１．２倍速などといった再生速度の再生モードを備える。したがって、記録再生装置１は録画番組の再生速度を変えることで、録画番組の所要視聴時間を短縮することが可能である。
【００７１】
また、記録再生装置１は録画番組の不必要部分を削除して再生する再生モードを備える。例えば、記録再生装置１は録画番組の不必要部分であるＣＭ時間帯を削除する再生モードを備える。したがって、記録再生装置１は録画番組の不必要部分を削除することで、録画番組の所要視聴時間を短縮することが可能である。
【００７２】
また、記録再生装置１は従前の録画番組の視聴に係るユーザの再生操作を記憶する記憶部８を備え、記憶部８に記憶したユーザの従前の再生操作に基づき導出した予想視聴時間を所要視聴時間とする再生モードを備える。これにより、記録再生装置１はユーザによる従前の録画番組の視聴において、例えばユーザが行った再生、早送り、巻き戻し、一時停止などといった再生操作を記憶部８に記憶する。したがって、記録再生装置１はそのようなユーザの再生操作に基づき予想視聴時間を導出することで、録画番組の所要視聴時間を短縮することが可能である。
【００７３】
また、記録再生装置１はユーザモードで用いる予想視聴時間が同じ長さの録画番組であっても録画番組の種類によって異なることとしている。これにより、記録再生装置１は、例えばオープニングのテーマ曲や前回までのあらすじの部分を見ず早送りするなどといった録画番組の種類を考慮した再生操作に基づき予想視聴時間を導出する。したがって、記録再生装置１は予め記憶したそのようなユーザの録画番組の種類を考慮した再生操作に基づき予想視聴時間を導出し、録画番組の所要視聴時間を短縮することが可能である。
【００７４】
また、記録再生装置１はユーザモードで用いる予想視聴時間が同じ長さの録画番組であっても録画番組の提供時間帯によって異なることとしている。番組の提供時間帯に基づいて、番組の種類が類推できることがある。したがって、記録再生装置１は予め記憶したユーザの録画番組の種類を考慮した再生操作に基づき予想視聴時間を導出し、録画番組の所要視聴時間を短縮することが可能である。
【００７５】
＜第２実施形態＞
次に、本発明の第２実施形態の記録再生装置について、表５を用いてその構成を説明する。表５は録画番組の視聴時間毎に異なる予想視聴時間を示した表である。なお、この実施形態の基本的な構成は先に説明した前記第１実施形態と同じであるので、図面の記載及びその説明を省略するものとする。
【００７６】
第２実施形態の記録再生装置１はユーザモードで用いる録画番組の予想視聴時間が、表５に示すように同じ長さの録画番組であっても録画番組の視聴時間帯によって異なることとしている。表５によれば、６つの録画番組各々に関して、概ね午前、午後、夜の順に予想視聴時間が長くなっている。
【００７７】
【表５】
2015019216.tif 000007
【００７８】
これは、例えば午前中は比較的忙しく視聴時間が短めであったり、夜はゆっくり過ごせ視聴時間が長めであったりするなどのように、ユーザの録画番組の視聴時間帯に基づき視聴時間、すなわち再生操作が異なることによるものである。したがって、記録再生装置１はそのような再生操作を記憶部８等に予め記憶し、記憶したユーザの録画番組の視聴時間帯を考慮した再生操作に基づき予想視聴時間を導出する。そして、記録再生装置１は録画番組の所要視聴時間を短縮することが可能である。
【００７９】
＜第３実施形態＞
次に、本発明の第３実施形態の記録再生装置について、表６を用いてその構成を説明する。表６はユーザ毎に異なる録画番組の予想視聴時間を示した表である。なお、この実施形態の基本的な構成は先に説明した前記第１実施形態と同じであるので、図面の記載及びその説明を省略するものとする。
【００８０】
第３実施形態の記録再生装置１はユーザモードで用いる録画番組の予想視聴時間が、表６に示すように同じ録画番組であってもユーザ毎に異なることとしている。表６によれば、６つの録画番組各々に関して、予想視聴時間が父、母、子供からなる３人のユーザ毎に異なっている。例えば、録画番組ＡＡＡＡは父、母、子供の順に予想視聴時間が長くなっている。また例えば、録画番組ＥＥＥＥは母、子供、父の順に予想視聴時間が長くなっている。
【００８１】
【表６】
2015019216.tif 000008
【００８２】
このようにして、例えば同じ録画番組であっても、ユーザ自身の個性により視聴時間、すなわち再生操作が異なることがある。したがって、記録再生装置１はそのような再生操作を記憶部８等に予め記憶し、記憶したユーザ毎の再生操作に基づき予想視聴時間を導出する。そして、記録再生装置１は録画番組の所要視聴時間を短縮することが可能である。
【００８３】
以上、本発明の実施形態につき説明したが、本発明の範囲はこれに限定されるものではなく、発明の主旨を逸脱しない範囲で種々の変更を加えて実施することができる。
【００８４】
例えば、第１〜第３の各実施形態を組み合わせて用いても良い。より詳しく言えば、第２実施形態と第３実施形態とを組み合わせて、録画番組の予想視聴時間が父、母、子供の３人のユーザ毎に、午前、午後、夜の視聴時間帯で各々異なるようにしても良い。
【産業上の利用可能性】
【００８５】
本発明は記録再生装置において利用可能である。
【符号の説明】
【００８６】
１    記録再生装置
４    記録部
５    出力部
６    操作部
７    制御部
８    記憶部
９    再生処理部
【図１】
2015019216.tif 000009
【図２】
2015019216.tif 000010
【図３】
2015019216.tif 000011
【図４】
2015019216.tif 000012
【図５】
2015019216.tif 000013